(57)【要約】【課題】開閉扉の開操作と連動させて焼き網を調理室の前面開口部より大きく突出させることができるようにし、安全且つ容易に被加熱物を取り出し得るようにする。【解決手段】開閉扉５の開操作と連動して焼き網４を前方に移動させる第１の移動手段（係合片８）を備えたオーブントースターにおいて、前記開閉扉５の内面に、該開閉扉５の開操作時に、前記焼き網４を前記第１の移動手段（係合片８）による前方移動後にさらに前方へ移動させる第２の移動手段（係合部材１２）を設けて、開閉扉５の開操作と連動して焼き網４が第１の移動手段（係合片８）により前方に移動して調理室２の前面開口部２ａから所定量Ｌ１だけ突出した後、第２の移動手段（係合部材１２）により焼き網４がさらに前方に所定量Ｌ２だけ突出せしめられるようにしている。【選択図】        図２
2004218932.tif 000002
【特許請求の範囲】
【請求項１】
本体内に形成された調理室と、該調理室内に配設された加熱源となる電気ヒータと、被加熱物を載置する焼き網と、前記調理室の前面開口部を該前面開口部の下端部を枢支点として開閉する開閉扉と、該開閉扉の開操作と連動して前記焼き網を前方に移動させる第１の移動手段とを備えたオーブントースターであって、前記開閉扉の内面には、該開閉扉の開操作時に、前記焼き網を前記第１の移動手段による前方移動後にさらに前方へ移動させる第２の移動手段を設けたことを特徴とするオーブントースター。
【請求項２】
前記第２の移動手段を、前記焼き網を構成する線材に係合する係合部材により構成したことを特徴とする前記請求項１記載のオーブントースター。
【請求項３】
前記第１の移動手段を、前記開閉扉の内面に設けられ、前記焼き網を構成する前端線材に係合する係合片により構成するとともに、前記係合部材を、前記係合片より下方に位置させたことを特徴とする前記請求項２記載のオーブントースター。
【請求項４】
前記第２の移動手段を、前記焼き網の側端部に一体に突設された枠状体に対して係合する係合部材により構成するとともに、該枠体の内側には、前記焼き網に載置された被加熱物をガードするガード部を一体に形成したことを特徴とする前記請求項１記載のオーブントースター。
【請求項５】
第１の移動手段には、前記第２の移動手段による前記焼き網の前方移動時において該焼き網をガイドするガイド機能を付与させたことを特徴とする前記請求項１、２、３および４のいずれか一項記載のオーブントースター。
【発明の詳細な説明】
【０００１】
【発明の属する技術分野】
本願発明は、オーブントースターに関し、さらに詳しくは、調理物を取り出し易いように構成したオーブントースターに関するものである。
【０００２】
【従来の技術】
従来からよく知られているオーブントースターは、本体内に形成された調理室と、該調理室内に配設された加熱源となる電気ヒータと、被加熱物を載置する焼き網と、前記調理室の前面開口部を該前面開口部の下端部を枢支点として開閉する開閉扉とを備え、該開閉扉の開操作と連動して前記焼き網が前方に移動して前記前面開口部から突出するように構成されている（例えば、特許文献１参照）。
【０００３】
また、特許文献２には、オーブントースターにおいて、略中間部を回動自在に軸支した回転中心とし、一端部は調理器本体の開口部を開閉する扉に連結し、他端に作動突起を設けた作動杆と、前記回転中心と作動突起との間に位置し調理室内の側壁に設けたガイドレールに前後方向にスライド自在に配置されて、一端に係合部を有する調理棚と、下端が回動自在に取り付けられ前記作動突起と係合部とに各々係合する第一ガイドと第二ガイドを有する調理棚作動体とを設けて、扉の開閉に連動して調理棚を前記開口部より突出させるようにしたものが開示されている。
【０００４】
【特許文献１】
特開平２−１４４３１７号公報
【特許文献２】
特開平５−３０９０４４号公報。
【０００５】
【発明が解決しようとする課題】
ところが、上記特許文献１に開示されているオーブントースターの場合、開閉扉と連動して焼き網が調理室の前面開口部から突出せしめられることとなっているが、その突出量が限られており、焼き網上に載置された被加熱物を取り出すときに加熱状態の調理室の前面開口部の口縁に手が触れるおそれがある。
【０００６】
また、上記特許文献２に開示されているオーブントースターの場合、調理棚の突出量を大きくすることは可能であるが、作動杆および調理棚作動体と、これらと調理棚とを連動させる複雑な構造とが必要となり、コストアップを免れないという不具合が存する。
【０００７】
本願発明は、上記の点に鑑みてなされたもので、開閉扉の開操作と連動させて焼き網を調理室の前面開口部より大きく突出させることができるようにし、安全且つ容易に被加熱物を取り出し得るようにすることを目的としている。
【０００８】
【課題を解決するための手段】
本願発明では、上記課題を解決するための第１の手段として、本体内に形成された調理室と、該調理室内に配設された加熱源となる電気ヒータと、被加熱物を載置する焼き網と、前記調理室の前面開口部を該前面開口部の下端部を枢支点として開閉する開閉扉と、該開閉扉の開操作と連動して前記焼き網を前方に移動させる第１の移動手段とを備えたオーブントースターにおいて、前記開閉扉の内面に、該開閉扉の開操作時に、前記焼き網を前記第１の移動手段による前方移動後にさらに前方へ移動させる第２の移動手段を設けている。
【０００９】
上記のように構成したことにより、焼き網上に被加熱物を載置して電気ヒータにより被加熱物が加熱調理されるが、加熱調理が終了すると、開閉扉が開操作されて、被加熱物の取り出しが行われる。このとき、開閉扉の開操作と連動して焼き網が第１の移動手段により前方に移動して調理室の前面開口部から所定量だけ突出するが、その後、第２の移動手段により焼き網がさらに前方に所定量だけ突出せしめられる。この状態においては、加熱状態の調理室前面開口部の口縁に触れることなく被加熱物を安全に取り出すことができる。
【００１０】
本願発明では、さらに、上記課題を解決するための第２の手段として、上記第１の手段を備えたオーブントースターにおいて、前記第２の移動手段を、前記焼き網を構成する線材に係合する係合部材により構成することもでき、そのように構成した場合、焼き網を構成する線材に係合する係合部材を開閉扉の内面に設けるだけで第２の移動手段を構成することができることとなり、構成が簡単で低コストとなる。
【００１１】
本願発明では、さらに、上記課題を解決するための第３の手段として、上記第２の手段を備えたオーブントースターにおいて、前記第１の移動手段を、前記開閉扉の内面に設けられ、前記焼き網を構成する前端線材に係合する係合片により構成するとともに、前記係合部材を、前記係合片より下方に位置させることもでき、そのように構成した場合、開閉扉の開操作時に、第１の移動手段を構成する係合片により焼き網が前方に移動せしめられた後に、第２の移動手段を構成する係合部材により焼き網がさらに前方へ移動せしめられるという作動が順序よく行われることとなるとともに、開閉扉の閉操作時において、第２の移動手段を構成する係合部材が焼き網の下方に位置することとなり、調理の邪魔になるということがなくなる。
【００１２】
本願発明では、さらに、上記課題を解決するための第４の手段として、上記第１の手段を備えたオーブントースターにおいて、前記第２の移動手段を、前記焼き網の側端部に一体に突設された枠状体に対して係合する係合部材により構成するとともに、該枠状体の内側には、前記焼き網に載置された被加熱物をガードするガード部を一体に形成することもでき、そのように構成した場合、第２の移動手段を構成する係合部材は、焼き網の側端部に一体に突設された枠状体に対して係合することとなっているので、開閉扉の開操作時に焼き網上に載置された被加熱物と係合部材とが干渉することがなくなるとともに、被加熱物はガード部によりガードされることとなる。
【００１３】
本願発明では、さらに、上記課題を解決するための第５の手段として、上記第１、第２、第３又は第４の手段を備えたオーブントースターにおいて、第１の移動手段に、前記第２の移動手段による前記焼き網の前方移動時において該焼き網をガイドするガイド機能を付与させることもでき、そのように構成した場合、第１の移動手段が、第２の移動手段による焼き網の前方移動時において該焼き網をガイドすることとなり、焼き網は安定した状態で前方移動せしめられることとなる。
【００１４】
【発明の実施の形態】
以下、添付の図面を参照して、本願発明の幾つかの好適な実施の形態について説明する。
【００１５】
第１の実施の形態
図１ないし図３には、本願発明の第１の実施の形態にかかるオーブントースターが示されている。
【００１６】
このオーブントースターは、図１および図２に示すように、本体１内に形成された調理室２と、該調理室２内に配設された加熱源となる電気ヒータ（即ち、上ヒータ３Ａおよび下ヒータ３Ｂ）と、被加熱物Ｍ（例えば、パンあるいは受け皿）を載置する焼き網４と、前記調理室２の前面開口部２ａを該前面開口部２ａの下端部両側を枢支点Ｐとして開閉する開閉扉５とを備えて構成されている。
【００１７】
前記上ヒータ３Ａと下ヒータ３Ｂは、共に管状ヒータとされており、調理室２内において上下に対向するようにして該調理室２の両側内壁２ｂ，２ｂ間に架設されている。
【００１８】
前記焼き網４は、前記上下ヒータ３Ａ，３Ｂの中間部に配置されており、前記調理室内壁２ｂ，２ｂに形成された円弧形状のガイド溝６に端部が係止された支持棒７に載置された状態で配設されている。また、この焼き網４の前端部を構成する前端線材４ａは、前記開閉扉５の内面から突設された係合片８に係止されており、開閉扉５の開閉操作に伴って、前記焼き網４が前記ガイド溝６に案内されつつ、前記前面開口部２ａから突出する位置に引き出されあるいは調理可能位置に押し入れられることとなっている。また、該係合片８には、前記前端線材４ａが係合される係合溝８ａが形成されている。該係合溝８ａは、開閉扉５の全開時に水平となるように形成され且つ前端が開放されている。この係合溝８ａは、後に詳述するが、焼き網４の前方移動時にその前端線材４ａを前方へガイドするガイド溝としても作用することとなっている。つまり、前記係合片８が、開閉扉５を前方移動させる第１の移動手段を構成するとともに、前記係合溝８ａの形成により、第２の移動手段による前記焼き網４の前方移動時において該焼き網４をガイドするガイド機能が付与されることとなっているのである。
【００１９】
また、前記開閉扉５は、前記調理室２内を外部から透視できる透明窓９と、該透明窓９がはめ込まれるとともに開閉扉５を開閉自在に枢支する枢支部ともなる枠体１０とによって構成されており、該枠体１０の上部１０ａの外面には、開閉扉５の開閉操作を行う把手１１が形成されている。
【００２０】
そして、前記開閉扉５における枠体１０の下部１０ｂの内面には、前記係合片８より下方に位置して、前記開閉扉５の開操作時に、前記焼き網４を前記第１の移動手段による前方移動後にさらに前方へ移動させるべく該焼き網４を構成する横線材４ｂに係合する係合部材１２が設けられている。該係合部材１２は、図３に示すように、前記開閉扉５における枠体１０の下部１０ｂ内面に固定される固定部１２ａと、該固定部１２ａの一端から前記枠体１０から立設する係合部１２ｂと、該係合部１２ｂの端部から開閉扉５の閉止状態においては上向きとなり（図１参照）且つ開閉扉５の開放時においては水平となる（図２参照）ように略直角に屈曲された載置部１２ｃとからなっており、前記係合部１２ｂは、前記固定部１２ａから直線上に延びる平面部１２ｂ１と該平面部１２ｂ１から載置部１２ｃに至る湾曲部１２ｂ２とからなっている。該湾曲部１２ｂ２は、前記焼き網４の横線材４ｂとの係合時における押出力が徐々に加わるように作用する。
【００２１】
また、前記係合部材１２における載置部１２ｃの高さＨ１は、前記係合片８における前記焼き網４の係止部位（換言すれば、係合片８の係合溝８ａ）の高さＨ２よりある程度高くされている（図２参照）。
【００２２】
つまり、本実施の形態においては、係合部材１２は、開閉扉の開操作時に、前記焼き網４を前記第１の移動手段（換言すれば、係合片８）による前方移動後にさらに前方へ移動させる第２の移動手段として作用するとともに、開閉扉５の開操作時に焼き網４上に載置された被加熱物Ｍを上方に浮上させる浮揚手段としても作用することとなっているのである。なお、この係合部材１２の取付位置は、前記焼き網４が引き出された状態において該焼き網４上に載置される被加熱物Ｍと対応可能な位置であって引き出された状態の焼き網４の網目と対応する位置とされ、開閉扉５の両側とするのが望ましい。さらに、この係合部材１２の大きさは、前記焼き網４における網目より小さくされている。
【００２３】
上記のように構成されたオーブントースターにおいては、次のような作用効果が得られる。
【００２４】
このオーブントースターにおいては、被加熱物Ｍ（例えば、パンあるいは調理物を載せた受け皿等）を焼き網４上に載置した後、開閉扉５を閉じて電気ヒータ（即ち、上下ヒータ３Ａ，３Ｂ）に通電することにより、加熱調理が実行される。該加熱調理が終了すると、開閉扉５が開操作され、該開閉扉５の開操作に連動して焼き網４が調理室２の前面開口部２ａから突出される。
【００２５】
この時、開閉扉５の開操作と連動して焼き網４が第１の移動手段（即ち、係合片８）により前方に移動して調理室２の前面開口部２ａから所定量Ｌ１だけ突出するが、図１に仮想線で示すように、開閉扉５の開操作途中において、係合部材１２における湾曲部１２ｂ２に焼き網４の横線材４ｂが係合し、その後、第２の移動手段（即ち、係合部材１２）により焼き網４がさらに前方に所定量Ｌ２だけ突出せしめられる。この状態においては、加熱状態の調理室前面開口部２ａの口縁に触れることなく被加熱物Ｍを安全に取り出すことができる。
【００２６】
しかも、本実施の形態においては、開閉扉５が開操作され、焼き網４が引き出されると、図２に示すように、係合部材１２が焼き網４の網目を介して上方に突出されることとなり、焼き網４上の被加熱物Ｍの前方部分が係合部材１２により焼き網４より上方に浮上せしめられる。つまり、被加熱物Ｍが焼き網４の後端に形成された立ち上がり部４ｃを支点とする片持ち状態で浮上せしめられるのである。すると、被加熱物Ｍの前方部分と加熱状態の焼き網４との間に隙間Ｓが形成されることとなり、焼き網４に触れることなく、安全に被加熱物Ｍを取り出すことが可能となるのである。さらに、開閉扉５の開操作と連動して被加熱物Ｍを浮上させることができるところから、操作性にも優れている。また、この係合部材１２における載置部１２ｃは、開閉扉５の開操作時には略水平姿勢となるところから、載置部１２ｃが被加熱物Ｍを面接触状態で支持することとなり、被加熱物Ｍの支持状態が安定することとなる。
【００２７】
また、開閉扉５を閉止する場合には、開閉扉５の閉操作開始初期において前記係合片８における係合溝８ａが焼き網４の前端線材４ａと所定の角度で係合するところから、焼き網４は前記係合溝８ａの下辺に押されて押し込まれる。この時、係合部材１２は焼き網４の横線材４ｂから離脱しており、焼き網４の押し込みの邪魔をすることはない。
【００２８】
なお、本実施の形態においては、係合部材１２は開閉扉５における枠体１０の内面に固定されているが、不要時には係合部材１２を倒伏姿勢にできるように回動自在とすることもできる。
【００２９】
第２の実施の形態
図４には、本願発明の第２の実施の形態にかかるオーブントースターの要部が示されている。
【００３０】
この場合、第２の移動手段は、焼き網４の側端部を構成する縦線材４ｄに一体に突設された枠状体１３に対して係合する係合部材１２により構成されている。この場合、係合部材１２は、焼き網４の側端部を構成する縦線材４ｄと略平行な部材により構成されており、その前端面が係合部１２ｂとされている。従って、係合部１２ｂの前端面に平面部１２ｂ１および湾曲部１２ｂ２が形成されることとなる。また、前記枠状体１３の内側には、前記焼き網４に載置された被加熱物Ｍをガードするガード部１４が一体に形成されている。なお、この場合、係合部材１２は、焼き網４における調理領域外において動作することとなっているため、被加熱物Ｍを浮揚させるための載置部は省略されている。このようにすると、第２の移動手段を構成する係合部材１２は、焼き網４の側端部に一体に突設された枠状体１３に対して係合することとなっているので、開閉扉５の開操作時に焼き網４上に載置された被加熱物Ｍと係合部材１２とが干渉することがなくなるとともに、被加熱物Ｍはガード部１４によりガードされることとなる。その他の構成および作用効果は、第１の実施の形態におけると同様なので説明を省略する。
【００３１】
第３の実施の形態
図５には、本願発明の第３の実施の形態にかかるオーブントースターの要部が示されている。
【００３２】
この場合、第２の移動手段は、焼き網４の側端部を構成する縦線材４ｄに一体に突設された枠状体１３に対して係合する係合部材１２により構成されている。この場合、係合部材１２は、焼き網４の側端部を構成する縦線材４ｄと略平行な部材により構成されており、その前端面が係合部１２ｂとされている。従って、係合部１２ｂの前端面に平面部１２ｂ１および湾曲部１２ｂ２が形成されることとなる。また、前記枠状体１３の内側には、前記焼き網４に載置された被加熱物Ｍをガードするガード部１４が一体に形成されている。なお、この場合、係合部材１２は、焼き網４における調理領域外において動作することとなっているため、被加熱物Ｍを浮揚させるための載置部は省略されている。また、この場合、係合部材１２は、起立姿勢と倒伏姿勢とを取り得るように回動自在とされており、軸受部材１５，１５に軸支される軸部１６，１６を有している。このようにすると、焼き網４の突出量を第１の移動手段による前方移動のみとする場合に、係合部材１２を軸部１６，１６を中心として矢印方向に倒伏させて倒伏姿勢とすれば、第２の移動手段が作動しなくなる。係合部材１２を倒伏姿勢とする操作は、焼き網４は取り外した状態で行われる。その他の構成および作用効果は、第１の実施の形態におけると同様なので説明を省略する。
【００３３】
第４の実施の形態
図６には、本願発明の第４の実施の形態にかかるオーブントースターの要部が示されている。
【００３４】
この場合、第２の移動手段は、焼き網４の側端部を構成する縦線材４ｄに一体に突設された枠状体１３に対して係合する係合部材１２により構成されている。この場合、係合部材１２は、焼き網４の側端部を構成する縦線材４ｄと略平行な部材により構成されており、その前端面が係合部１２ｂとされている。従って、係合部１２ｂの前端面に平面部１２ｂ１および湾曲部１２ｂ２が形成されることとなる。また、前記枠状体１３の内側には、前記焼き網４に載置された被加熱物Ｍをガードするガード部１４が一体に形成されている。なお、この場合、係合部材１２は、焼き網４における調理領域外において動作することとなっているため、被加熱物Ｍを浮揚させるための載置部は省略されている。また、この場合、第１の移動手段を構成する係合片８の固定部８ｂと係合部材１２の固定部１２ａとが一体とされている。このようにすると、係合片８と係合部材１２とを一つの部品として構成することができるところから、部品点数が削減されることとなり、コストダウンおよび組付工数の低減とを図ることができる。その他の構成および作用効果は、第１の実施の形態におけると同様なので説明を省略する。
【００３５】
【発明の効果】
本願発明の第１の手段によれば、本体内に形成された調理室と、該調理室内に配設された加熱源となる電気ヒータと、被加熱物を載置する焼き網と、前記調理室の前面開口部を該前面開口部の下端部を枢支点として開閉する開閉扉と、該開閉扉の開操作と連動して前記焼き網を前方に移動させる第１の移動手段とを備えたオーブントースターにおいて、前記開閉扉の内面に、該開閉扉の開操作時に、前記焼き網を前記第１の移動手段による前方移動後にさらに前方へ移動させる第２の移動手段を設けて、開閉扉の開操作と連動して焼き網が第１の移動手段により前方に移動して調理室の前面開口部から所定量だけ突出した後、第２の移動手段により焼き網がさらに前方に所定量だけ突出せしめられるようにしたので、加熱状態の調理室前面開口部の口縁に触れることなく被加熱物を安全に取り出すことができるという効果がある。
【００３６】
本願発明の第２の手段におけるように、上記第１の手段を備えたオーブントースターにおいて、前記第２の移動手段を、前記焼き網を構成する線材に係合する係合部材により構成することもでき、そのように構成した場合、焼き網を構成する線材に係合する係合部材を開閉扉の内面に設けるだけで第２の移動手段を構成することができることとなり、構成が簡単で低コストとなる。
【００３７】
本願発明の第３の手段におけるように、上記第２の手段を備えたオーブントースターにおいて、前記第１の移動手段を、前記開閉扉の内面に設けられ、前記焼き網を構成する前端線材に係合する係合片により構成するとともに、前記係合部材を、前記係合片より下方に位置させることもでき、そのように構成した場合、開閉扉の開操作時に、第１の移動手段を構成する係合片により焼き網が前方に移動せしめられた後に、第２の移動手段を構成する係合部材により焼き網がさらに前方へ移動せしめられるという作動が順序よく行われることとなるとともに、開閉扉の閉操作時において、第２の移動手段を構成する係合部材が焼き網の下方に位置することとなり、調理の邪魔になるということがなくなる。
【００３８】
本願発明の第４の手段におけるように、上記第１の手段を備えたオーブントースターにおいて、前記第２の移動手段を、前記焼き網の側端部に一体に突設された枠状体に対して係合する係合部材により構成するとともに、該枠状体の内側には、前記焼き網に載置された被加熱物をガードするガード部を一体に形成することもでき、そのように構成した場合、第２の移動手段を構成する係合部材は、焼き網の側端部に一体に突設された枠状体に対して係合することとなっているので、開閉扉の開操作時に焼き網上に載置された被加熱物と係合部材とが干渉することがなくなるとともに、被加熱物はガード部によりガードされることとなる。
【００３９】
本願発明の第５の手段におけるように、上記第１、第２、第３又は第４の手段を備えたオーブントースターにおいて、第１の移動手段に、前記第２の移動手段による前記焼き網の前方移動時において該焼き網をガイドするガイド機能を付与させることもでき、そのように構成した場合、第１の移動手段が、第２の移動手段による焼き網の前方移動時において該焼き網をガイドすることとなり、焼き網は安定した状態で前方移動せしめられることとなる。
【図面の簡単な説明】
【図１】本願発明の第１の実施の形態にかかるオーブントースターの開閉扉閉操作時の縦断側面図である。
【図２】本願発明の第１の実施の形態にかかるオーブントースターの開閉扉開操作時の縦断側面図である。
【図３】本願発明の第１の実施の形態にかかるオーブントースターの開閉扉開操作時における要部拡大斜視図である。
【図４】本願発明の第２の実施の形態にかかるオーブントースターにおける開閉扉開操作時における要部拡大斜視図である。
【図５】本願発明の第３の実施の形態にかかるオーブントースターの開閉扉開操作時における要部拡大斜視図である。
【図６】本願発明の第４の実施の形態にかかるオーブントースターの開閉扉開操作時の要部拡大斜視図である。
【符号の説明】
１は本体、２は調理室、２ａは前面開口部、３Ａは電気ヒータ（上ヒータ）、３Ｂは電気ヒータ（下ヒータ）、４は焼き網、４ａは前端線材、４ｂは横線材、４ｃは立ち上がり部、４ｄは側端縦線材、５は開閉扉、８は第１の移動手段（係合片）、８ａは係合溝、１２は第２の移動手段（係合部材）、１３は枠状体、１４はガード部、Ｍは被加熱物、Ｐは枢支点。
【図１】
2004218932.tif 000003
【図２】
2004218932.tif 000004
【図３】
2004218932.tif 000005
【図４】
2004218932.tif 000006
【図５】
2004218932.tif 000007
【図６】
2004218932.tif 000008